【事件の表示】
　平成　７年特許願第１８２５０７号「磁気ヘッド装置」拒絶査定不服審判事件〔平成　９年　２月　７日出願公開、特開平　９−　３５２０５〕について、次のとおり審決する。
【結　論】
　本件審判の請求は、成り立たない。
【理　由】
１　手続の経緯、本願発明
　本願は、平成７年７月１９日の出願であって、平成１５年１２月８日付けで手続補正がなされ、その後平成１６年３月３１日付けで拒絶査定がなされ、これに対し、平成１６年５月６日に審判請求がなされたものである。
　本願の請求項１乃至５に係る発明は、上記平成１５年１２月８日付け手続補正書により補正された明細書及び図面の記載からみて、それぞれ本願特許請求の範囲の請求項１乃至５に記載された事項により特定されるとおりのものであるところ、その請求項１に記載された発明（以下、「本願発明」という。）は次のとおりである。
　「磁性材料からなる第１のコアと、上記第１のコアとの間に磁気的記録または再生を行う第１の磁気ギャップを形成する第２のコアと、磁性材料からなり上記第２のコアとの間に磁気的消去を行う第２の磁気ギャップを形成する第３のコアとを有するヘッドコア部と、電磁変換を行うために上記第１のコアに設けられた記録・再生用コイルと、電磁変換を行うために上記第３のコアに設けられた消去用コイルと、磁性材料からなり上記第１のコアと上記第２のコアと上記第３のコアとに接合されバックギャップを形成するバックコアとを有する磁気回路部と、
　上記第１のコアと上記第２のコアと上記第３のコアとに接着され上記磁気回路部を保持する第１のホルダー部と、
　上記バックコアに接着されることなく分離して配置され、上記第１の磁気ギャップ側および上記第２の磁気ギャップ側にて上記第１のコアと上記第２のコアと上記第３のコアとに接着され上記磁気回路部を保持する第２のホルダー部と、
　上記第１のホルダー部を保持すると共に、上記第１のコア乃至第３のコアの上記バックギャップ側を上記第２のホルダー部側の上方に配置した支持部材とを備えたことを特徴とする磁気ヘッド装置。」
　
２　引用例
　原査定の拒絶の理由で引用された特開平１−１９２０１１号公報（以下「引用例１」という。）には、磁気ヘッドに関して次の事項が記載されている。（なお、下線は当審で付与した。）
　（ア）　「本発明はフロッピーディスクドライブ装置等の磁気ヘッドに係り、特にコイルをスライダーの内側に取り付け可能でかつジンバル上に安定に支持できる磁気ヘッドの製造方法に関する。」（公報１頁左下欄１５行〜１９行）
　（イ）　「一般にフロッピーディスクドライブ装置等の磁気ヘッドは第２図に示すように
記録再生ギャップｌを有する記録再生用磁気コア１１と消去ギャップ２を有する消去用磁気コア２１を非磁性体スペーサ３を介在させて接合した磁気コアチップ４
磁気コアチップ４に
スライダー５３とスライダー５４を接着し
記録再生用磁気コア１１及び消去用磁気コア２１にコイル６を挿入し
リアコア７を接着し
スライダー５３の底面でジンバル８上に支持させた構造の磁気ヘッド
　（ウ）　第３図には、
スライダー５４は
磁気コアチップ４を構成する記録再生用磁気コア１１と消去用磁気コア２１に、記録再生ギャップ及び消去ギャップ側にて、接着され
スライダー５４は、リアコア７には接着されることなく分離して配置されている
記録再生用磁気コアは、記録再生ギャップを挟んで、記録再生用の外側磁気コアとセンタ側磁気コアからなり、消去用磁気コアは、消去ギャップを挟んで、消去用の外側磁気コアとセンタ側磁気コアからなる
記録再生用の外側磁気コアにコイルが挿入され、消去用の外側磁気コアにコイルが挿入されている
　
３　対比・判断
（１）対比
　本願発明と引用例１に記載された発明とを対比する。
　引用例１には、上記２（イ）（ウ）（下線部参照）に摘示した記載事項によれば、
　「記録再生ギャップを有する記録再生用磁気コアと消去ギャップを有する消去用磁気コアを非磁性体スペーサを介在させて接合した磁気コアチップに、第１のスライダーと第２のスライダーを接着し、記録再生用磁気コア及び消去用磁気コアにコイルを挿入し、リアコアを接着し、第１のスライダーの底面でジンバル上に支持させた構造の磁気ヘッドであって、
　第２のスライダーは、磁気コアチップを構成する記録再生用磁気コアと消去用磁気コアに、記録再生ギャップ及び消去ギャップ側にて、接着され、かつ、リアコアには接着されることなく分離して配置され、
　記録再生用磁気コアは、記録再生ギャップを挟んで、記録再生用の外側磁気コアとセンタ側磁気コアからなり、消去用磁気コアは、消去ギャップを挟んで、消去用の外側磁気コアとセンタ側磁気コアからなり、記録再生用の外側磁気コアにコイルが挿入され、消去用の外側磁気コアにコイルが挿入されている、磁気ヘッド。」
　の発明が記載されている。
　　
　引用例１に記載された発明の「記録再生ギャップ」「消去ギャップ」「磁気コアチップ」は、それぞれ本願発明の「磁気的記録または再生を行う第１の磁気ギャップ」「磁気的消去を行う第２の磁気ギャップ」「ヘッドコア部」に相当している。
　本願発明の「第２のコア」とは、「第２のコアは磁気回路部を記録・再生用磁気回路の磁路と消去用磁気回路の磁路とに分離されている」（本願の請求項４）構成を含むものであるから、引用例１に記載された発明の「記録再生用のセンタ側磁気コアと消去用のセンタ側磁気コア」は、本願発明の「第２のコア」に相当し、引用例１に記載された発明の「記録再生用の外側磁気コア」「消去用の外側磁気コア」は、それぞれ本願発明の「磁性材料からなる第１のコア」「磁性材料からなる第３のコア」に相当している。
　引用例１に記載された発明では、「記録再生用の外側磁気コアにコイルが挿入され、消去用の外側磁気コアにコイルが挿入されている」ので、「記録再生用の外側磁気コアに挿入されたコイル」「消去用の外側磁気コア挿入されたコイル」は、それぞれ本願発明の「第１のコアに設けられた記録・再生用コイル」「第３のコアに設けられた消去用コイル」に相当しており、電磁変換を行うためのものであることは明らかである。
　引用例１に記載された発明の「リアコア」は、本願発明の「バックコア」に相当している。引用例１に記載された発明において、「リアコア」は、「磁気コアチップ」を構成する記録再生用の外側磁気コア及びセンタ側磁気コア並びに消去用の外側磁気コア及びセンタ側磁気コアに接着されることにより接合され、その接合部分がバックギャップを形成しているから、引用例１に記載された発明の「リアコア」は、本願発明の「磁性材料からなり第１のコアと第２のコアと第３のコアとに接合されバックギャップを形成するバックコア」に相当する構成を備えている。
　引用例１に記載された発明の「磁気コアチップ」と「コイル」と「リアコア」とは磁気回路部を構成するものであるから、本願発明の「磁気回路部」に相当している。
　引用例１に記載された発明の「第１のスライダー」「第２のスライダー」は、それぞれ本願発明の「第１のホルダー部」「第２のホルダー部」に相当している。
　引用例１に記載された発明の「第１のスライダー」は、「磁気コアチップ」に接着されているから、本願発明の「第１のコアと第２のコアと第３のコアとに接着され磁気回路部を保持する第１のホルダー部」に相当する構成を備えている。
　引用例１に記載された発明の「第２のスライダー」は、「磁気コアチップを構成する記録再生用磁気コアと消去用磁気コアに、記録再生ギャップ及び消去ギャップ側にて、接着され、かつ、リアコアには接着されることなく分離して配置され」ているから、本願発明の「バックコアに接着されることなく分離して配置され、第１の磁気ギャップ側および第２の磁気ギャップ側にて第１のコアと第２のコアと第３のコアとに接着され磁気回路部を保持する第２のホルダー部」に相当する構成を備えている。
　引用例１に記載された発明の「ジンバル」は、本願発明の「支持部材」に相当している。引用例１に記載された発明の磁気ヘッドは、磁気コアチップに接着された第１及び第２のスライダーとコイルとリアコアを、第１のスライダーの底面で、ジンバル上に支持させた構造であるから、本願発明の、「支持部材」が「第１のホルダー部を保持する」、に相当する構成を備えている。
　引用例１に記載された発明の「磁気ヘッド」は、「ジンバル」を備えた構成において、本願発明の「磁気ヘッド装置」に相当している。
　
　してみると、本願発明と引用例１に記載された発明は、
　「磁性材料からなる第１のコアと、上記第１のコアとの間に磁気的記録または再生を行う第１の磁気ギャップを形成する第２のコアと、磁性材料からなり上記第２のコアとの間に磁気的消去を行う第２の磁気ギャップを形成する第３のコアとを有するヘッドコア部と、電磁変換を行うために上記第１のコアに設けられた記録・再生用コイルと、電磁変換を行うために上記第３のコアに設けられた消去用コイルと、磁性材料からなり上記第１のコアと上記第２のコアと上記第３のコアとに接合されバックギャップを形成するバックコアとを有する磁気回路部と、
　上記第１のコアと上記第２のコアと上記第３のコアとに接着され上記磁気回路部を保持する第１のホルダー部と、
　上記バックコアに接着されることなく分離して配置され、上記第１の磁気ギャップ側および上記第２の磁気ギャップ側にて上記第１のコアと上記第２のコアと上記第３のコアとに接着され上記磁気回路部を保持する第２のホルダー部と、
　上記第１のホルダー部を保持する支持部材とを備えた磁気ヘッド装置。」
　である点で一致しており、以下の点で相違している。
　
　（相違点１）　「支持部材」に関して、本願発明では、「第１のコア乃至第３のコアのバックギャップ側を第２のホルダー部側の上方に配置した」と特定しているのに対し、引用例１に記載された発明では、そのような特定がない点。
　
（２）相違点についての判断
（相違点１について）
　引用例１には、記録再生用磁気コアと消去用磁気コアにおけるリアコア側が、ジンバルを貫通していることが例示（上記（ウ）参照）されている。
  しかしながら、本願発明や引用例１のフロッピーディスクドライブ装置用磁気ヘッドの技術分野において、記録再生用磁気コアと消去用磁気コアにおけるリアコア側の位置を、ジンバルの上方となるように、ホルダーをジンバルに保持させる構造は、周知の事項であって、例えば、実願平１−１３９７７２号（実開平３−８０５０７号公報）のマイクロフィルム（従来例の第３〜５図参照）、特開平３−１９８２１６号公報（従来例の第７、８図参照）、特開平３−１４２７４８号公報（第４、６図）、特開平３−２２４１１７号公報（従来例の第２、３図）に記載されている。
　してみれば、引用例１に記載された発明において、その記録再生用磁気コアと消去用磁気コアにおけるリアコア側の位置を、ジンバルに対して適宜配置して、第２のスライダー側であるジンバルの上方に位置させるようにすることは、上記周知の事項に基づいて当業者が容易に想到しうることである。そして、ジンバルの上方に配置する構造においてはジンバルに貫通するための穴を必要としないことは、上記周知の事項による当然の効果にすぎず、相違点１に基づく作用効果は、格別顕著なものではない。
　
４　むすび
　したがって、本願発明は、本願出願前に頒布された引用例１に記載された発明に基いて当業者が容易に発明をすることができたものであるから、特許法第２９条第２項の規定により特許を受けることができない。他の請求項を検討するまでもなく、本願は拒絶すべきものである。
　よって、結論のとおり審決する。